(57)【特許請求の範囲】
【請求項１】
エンジン本体に接続されたオイルポンプと当該エンジン本体の下面に装着されたオイルパンとの間に設置され、当該オイルパンに貯留されたエンジンオイルを濾過するためのフィルタを内蔵するオイルストレーナであって、
前記フィルタを収容する中空部が形成され、前記オイルパンに貯留されたエンジンオイルを当該オイルストレーナ内に導入するオイル吸入孔と、前記オイルポンプ側へのエンジンオイルの供給に供されるオイル供給孔とを有するストレーナ本体を備え、
前記オイルストレーナの平面視において、前記オイルストレーナ本体の一端に前記オイル吸入孔が配置されるとともに、前記オイルストレーナ本体の他端に前記オイル供給孔が配置され、
前記ストレーナ本体は、前記オイルストレーナの平面視において、前記一端から前記他端に向かって通路幅が大きくなるように形成され、
前記オイル供給孔の周縁には、前記ストレーナ本体の前記オイルポンプ側部材への固定に供され、締結部材が挿通される１対の締結孔が穿設されたフランジが配設され、
前記フランジの平面視において、前記オイル供給孔は、前記一対の締結孔を結ぶ直線に重なるように配置され、且つ前記１対の締結孔の中心を結ぶ直線が前記オイル供給孔の中心に対してオイル吸入孔と反対の方向へオフセットされ、
前記ストレーナ本体の前記他端側の端部側壁が、前記オイルストレーナの平面視において、前記オイル供給孔と重なり、前記１対の締結孔を前記ストレーナ本体の外部に配置するように湾曲することを特徴とするオイルストレーナ。
【請求項２】
前記フランジの平面視において、前記オイル供給孔は、前記フィルタの少なくとも一部と重なる位置に形成されたことを特徴とする請求項１に記載のオイルストレーナ。
【請求項３】
前記ストレーナ本体を前記エンジン本体に固定するステーを更に備え、該ステーのエンジン本体側固定位置が、前記フランジの平面視において、前記１対の締結孔の中心を結ぶ直線に対して前記オイル供給孔の中心が位置する側であることを特徴とする請求項１または請求項２に記載のオイルストレーナ。
【請求項４】
前記フランジから突設され、前記オイルポンプ側部材に嵌入する筒状部を更に備えたことを特徴とする請求項１〜請求項３のいずれか一項に記載のオイルストレーナ。
【発明の詳細な説明】
【技術分野】
【０００１】
本発明は、内燃機関のエンジンオイルを濾過するためのオイルストレーナに関する。
【背景技術】
【０００２】
自動車の内燃機関（以下、エンジンと記す）には、動弁機構の潤滑、清掃、密封や、ピストンの冷却を行うべく、エンジンオイル（以下、オイルと略称する）が用いられている。オイルは、エンジン本体の下面に装着されたオイルパンに貯留されており、エンジンが起動すると、オイルストレーナを介してオイルポンプによって吸引されてエンジン各部に圧送される。オイルストレーナは、オイルに含まれる異物を捕集するフィルタを備えており、その上端に形成されたオイル供給孔がオイルポンプ側部材（エンジン本体の下面等）に連通される。通常、オイル供給孔の周縁には１対のボルト孔が穿設されたフランジが設けられている。両ボルト孔は、オイルポンプ側部材とフランジとの密着性（シール性）を高めるべく、それらの中心を結ぶ直線がオイル供給孔の中心を通るように配置されている。
【０００３】
ところで、近年の自動車では、エンジンルームのコンパクト化やエンジン補器類の増加等によってオイルパン内のスペースが制限され、オイルストレーナの取付部位のスペースに制約を受けることがある。そのため、樹脂製の上下ハーフの間にフィルタを内蔵してなるオイルストレーナにおいて、上述したボルト孔の一方をフィルタ収容部に設けたものが提案されている（特許文献１参照）。
【特許文献１】特開２０００−２１３３２５号公報
【発明の開示】
【発明が解決しようとする課題】
【０００４】
しかしながら、特許文献１の構造を採用した場合、フィルタを内蔵するストレーナ本体内にボルト孔を囲繞するボスが配置されるためにフィルタの面積を大きくできず、十分な濾過性能を確保することが難しくなる問題があった。また、この構造では、ストレーナ本体内でのオイルの流れがボスにより阻害されるため、流路抵抗の増大による圧力損失が発生することも避けられなかった。
【０００５】
本発明は、このような背景に鑑みなされたもので、取付部位のスペースが小さい場合にも十分な濾過性能の確保や圧力損失の低減等を実現できるオイルストレーナを提供することを目的とする。
【課題を解決するための手段】
【０００６】
上記課題を解決するために、請求項１に係るオイルストレーナは、エンジン本体に接続されたオイルポンプと当該エンジン本体の下面に装着されたオイルパンとの間に設置され、当該オイルパンに貯留されたエンジンオイルを濾過するためのフィルタを内蔵するオイルストレーナであって、前記フィルタを収容する中空部が形成され、前記オイルパンに貯留されたエンジンオイルを当該オイルストレーナ内に導入するオイル吸入孔と、前記オイルポンプ側へのエンジンオイルの供給に供されるオイル供給孔とを有するストレーナ本体を備え、前記オイルストレーナの平面視において、前記オイルストレーナ本体の一端に前記オイル吸入孔が配置されるとともに、前記オイルストレーナ本体の他端に前記オイル供給孔が配置され、前記ストレーナ本体は、前記オイルストレーナの平面視において、前記一端から前記他端に向かって通路幅が大きくなるように形成され、前記オイル供給孔の周縁には、前記ストレーナ本体の前記オイルポンプ側部材への固定に供され、締結部材が挿通される１対の締結孔が穿設されたフランジが配設され、前記フランジの平面視において、前記オイル供給孔は、前記一対の締結孔を結ぶ直線に重なるように配置され、且つ前記１対の締結孔の中心を結ぶ直線が前記オイル供給孔の中心に対してオイル吸入孔と反対の方向へオフセットされ、前記ストレーナ本体の前記他端側の端部側壁が、前記オイルストレーナの平面視において、前記オイル供給孔と重なり、前記１対の締結孔を前記ストレーナ本体の外部に配置するように湾曲することを特徴とする。
【０００７】
また、請求項２に係るオイルストレーナは、第１の手段に記載のオイルストレーナにおいて、前記フランジの平面視において、前記オイル供給孔は、前記フィルタの少なくとも一部と重なる位置に形成されたことを特徴とする。
【０００８】
また、請求項３に係るオイルストレーナは、請求項１または請求項２に記載のオイルストレーナにおいて、前記ストレーナ本体を前記エンジン本体に固定するステーを更に備え、該ステーのエンジン本体側固定位置が、前記フランジの平面視において、前記１対の締結孔の中心を結ぶ直線に対して前記オイル供給孔の中心が位置する側であることを特徴とする。
【０００９】
また、請求項４に係るオイルストレーナは、請求項１〜請求項３のいずれかに記載のオイルストレーナにおいて、前記フランジから突設され、前記オイルポンプ側部材に嵌入する筒状部を更に備えたことを特徴とする。
【発明の効果】
【００１０】
請求項１のオイルストレーナによれば、１対の締結孔の中心を結ぶ直線がオイル供給孔の中心に対してオフセットされることにより、オイル供給孔付近においてフィルタの面積が拡大され、オイルストレーナの濾過性能が向上される。また、フランジの平面視において、締結孔がストレーナ本体の他の部分と重なることが回避され、ボルト等の締結具の締付け作業を直線上にて容易に行うことが可能である。また、締結孔のボスがオイルの流れを阻害することはなく、オイルの流路を画成するストレーナ本体の断面形状をオイル供給孔付近においても徐々に変化させることが可能となるため、ストレーナ本体の流路抵抗が低減される。更に、フランジの取付部位のスペースに制約を受ける場合においても、オイル供給孔を大きくできることがある。
【００１１】
また、請求項２のオイルストレーナによれば、フィルタの面積を請求項１のオイルストレーナよりも更に大きくすることが可能であるために濾過性能が向上されると共に、流路抵抗を低減することも可能である。また、請求項３のオイルストレーナによれば、締結具の取付け位置がオフセットされることによって生じ得るフランジ取付部分のシール性の低下が防止されると共に、エンジンの振動や走行中の振動によってオイルストレーナの振動が増幅されて疲労破壊を起こすことも防止される。更に、請求項４のオイルストレーナによれば、フランジ取付面が片開きとなることが防止され、フランジ取付部分のシール性が向上される。
【発明を実施するための最良の形態】
【００１２】
以下、本発明の実施の形態を、図面を参照しながら説明する。図１は実施形態に係るエンジンの側面図である。また、図２は実施形態に係るオイルストレーナの斜視図であり、図３は実施形態に係るオイルストレーナの平面図であり、図４は実施形態に係るオイルストレーナの下面図であり、図５は図３中のＶ−Ｖ断面図である。
【００１３】
図１に示すように、実施形態のエンジンは、シリンダブロック（エンジン本体）２１と、シリンダブロック２１の下面に装着されたオイルパン２２と、シリンダブロック２１に内装されたオイルポンプ２５と、オイルパン２２内に配設されたオイルストレーナ１とを備えている。オイルパン２２には、その下方にオイル２３が貯留され、上部にオイル２３の飛散を防止するバッフルプレート２４が設置されている。また、オイルストレーナ１は、その下部がオイルパン２２内のオイルに浸漬され、上端がシリンダブロック２１の下面に締結されている。
【００１４】
エンジンが起動すると、オイルパン２２内のオイル２３は、オイルポンプ２５によりオイルストレーナ１の下部から吸引され、エンジン各部に圧送される。圧送されたオイルは、エンジン各部の潤滑や密封、冷却等に供された後、オイルパン２２に落下還流して循環再利用される。
【００１５】
図２〜図５に示すように、オイルストレーナ１は、上部ハーフ４ａと下部ハーフ４ｂとを熱板溶着等により接合してなる中空のストレーナ本体４を有している。ストレーナ本体４は、下端面に形成されたオイル吸入孔２と、上端面に形成されたオイル供給孔３とを有している。オイル供給孔３の周縁にはフランジ９が設けられており、このフランジ９に締結用のボルト１５が挿通される１対のボルト孔５，６（締結孔）が形成されている。また、ストレーナ本体４には、オイル吸入孔２の付近にステー１１が設けられている。
【００１６】
図５に示すように、ストレーナ本体４には、上部ハーフ４ａと下部ハーフ４ｂとの間にフィルタ１０が挟着されている。フィルタ１０は限られたスペースの中で可能な限り大きくされることが望ましいため、平面視においてオイル吸入孔２とオイル供給孔３とを離れた位置に配置とすることによって、フィルタ１０の面積の拡大化およびフィルタ性能の向上が図られている。また、フィルタ１０は、上部ハーフ４ａと下部ハーフ４ｂとの接合面に沿って斜めに延在しているため、オイルパン２２内のスペースが小さい場合にも比較的大きな濾過面積が確保される。
【００１７】
図３に示すように、フランジ９に形成された１対のボルト孔５，６は、その中心を結ぶ直線Ｌがオイル供給孔３の中心Ｐを通らないように、オイル吸入孔２と反対の方向へオフセットされている。これにより、本実施形態においては、オイル供給孔３側のフィルタ１０の端部形状を１対のボルト孔５，６に沿って湾曲させることにより、フィルタ１０の面積を大きくして濾過性能の向上および流路抵抗の低減を図ることができた。また、図２，図４を参照して分かるように、ボルト孔５，６がオフセットされたことにより、フィルタ１０を大きく形成しても、ボルト１５の締付け作業ラインが直線的に確保されている。
【００１８】
ボルト孔５，６は、フランジ９に嵌合固着された金属製のスリーブ管７，８によって形成されており、ステー用ボルト孔１２も同様に、ステー１１に嵌合固着された金属製のスリーブ管１３によって形成されている。囲繞してボルト孔５，６，１２を形成するスリーブ管７，８，１３に塑性変形の少ない金属を用いることにより、ボルト１５の強固な締付けが可能となる。なお、エンジンや走行時の振動等による緩みを防止するために、ボルト頭部とスリーブ管との間に座金を用いてもよい。
【００１９】
また、前述の通り、オイル吸入孔２の付近には固定用のステー１１が備えられている。これにより、ストレーナ本体４は、１対のボルト孔５，６の中心を結ぶ直線Ｌに対し、オイル供給孔３の中心Ｐが位置する側であって中心Ｐより離れた位置にステー１１が設けられ、シリンダブロック２１に固定される。これにより、オイル供給孔３が形成されたフランジ９の取付面が片開きとなるのが防止されて、フランジ取付部分のシール性が向上されると共に、エンジンの振動や走行中の振動によってオイルストレーナ１の取付部位が疲労破壊を起こすことも防止される。
【００２０】
フランジ９の端面にはオイルポンプ側部材に嵌入する筒状部１４が突設されており、オイル供給孔３はこの筒状部１４に囲繞されている。これにより、予期しない外力等によってフランジ９が片開きとなることが防止される。なお、筒状部１４の周囲にＯリングを備えることにより、フランジ９の取付面のシール性を更に向上させることも可能である。
【００２１】
以上で具体的実施形態の説明を終えるが、本発明の態様はこの実施形態に限られるものではない。例えば、上記実施形態ではストレーナ本体を樹脂製の上下２分割品としたが、鋼板プレス成形品としてもよいし、フィルタ収納部にオイル供給管部を取り付ける構造としてもよい。その他、フランジやフィルタの具体的形状等についても、本発明の主旨を逸脱しない範囲であれば適宜変更可能である。
【図面の簡単な説明】
【００２２】
【図１】実施形態に係るエンジンの側面図である。
【図２】実施形態に係るオイルストレーナの斜視図である。
【図３】実施形態に係るオイルストレーナの平面図である。
【図４】実施形態に係るオイルストレーナの下面図である。
【図５】図３中のＶ−Ｖ断面図である。
【符号の説明】
【００２３】
１  オイルストレーナ
２  オイル吸入孔
３  オイル供給孔
４  ストレーナ本体
４ａ  上部ハーフ
４ｂ  下部ハーフ
５，６  ボルト孔
７，８  スリーブ
９  フランジ
１０  フィルタ
１１  ステー
１２  ステー用ボルト孔
１３  ステー用スリーブ
１４  筒状部
１５  ボルト
２１  シリンダブロック
２２  オイルパン
２３  オイル
２４  バッフルプレート
２５  オイルポンプ
【図１】
0004572166.tif 000002
【図２】
0004572166.tif 000003
【図３】
0004572166.tif 000004
【図４】
0004572166.tif 000005
【図５】
0004572166.tif 000006